(57)【要約】【課題】部品点数の増加を抑制しながら、接合端面におけるビビリ音の発生を抑制することが可能なスピーカ装置を提供する。【解決手段】このスピーカ１００（スピーカ装置）は、スピーカ本体３が取り付けられるバッフル１と、バッフル１に取り付けられるエンクロージャー２と、接合端面１２に一体的に設けられ、三角形状の断面形状を有する突起部または溝部の一方からなる係合部１２ａと、接合端面２２に係合部１２ａと対応するように一体的に設けられ、三角形状の断面形状を有する突起部または溝部の他方からなる係合部２２ａとを備え、バッフル１とエンクロージャー２とは、係合部１２ａと係合部２２ａとが接触し、かつ、係合部１２ａと係合部２２ａとの係合領域に対して一方側の領域および他方側の領域の両方の領域において互いに接触した状態で固定されている。【選択図】図２
2009164823.tif 000002
【特許請求の範囲】
【請求項１】
スピーカ本体と、
前記スピーカ本体が取り付けられる前側筐体と、
前記前側筐体に取り付けられる後側筐体と、
前記前側筐体の前記後側筐体との接合端面に一体的に設けられ、三角形状の断面形状を有する突起部または溝部の一方からなる第１係合部と、
前記後側筐体の前記前側筐体との接合端面に前記第１係合部と対応するように一体的に設けられ、三角形状の断面形状を有する突起部または溝部の他方からなる第２係合部とを備え、
前記前側筐体と前記後側筐体とは、前記第１係合部と前記第２係合部とが接触し、かつ、前記第１係合部と前記第２係合部との係合領域に対して一方側の領域および他方側の領域の両方の領域において互いに接触した状態で固定されている、スピーカ装置。
【請求項２】
前記前側筐体の前記後側筐体との接合端面は、枠状に形成されているとともに、前記第１係合部よりも外縁部側に設けられた第１接合端面と、前記第１係合部よりも内縁部側に設けられた第２接合端面とを含み、
前記後側筐体の前記前側筐体との接合端面は、枠状に形成されているとともに、前記第２係合部よりも外縁部側に設けられた第３接合端面と、前記第２係合部よりも内縁部側に設けられた第４接合端面とを含み、
前記前側筐体と前記後側筐体とが互いに接触した状態で固定される際には、前記第１接合端面と前記第３接合端面とが互いに接触し、かつ、前記第２接合端面と前記第４接合端面とが互いに接触した状態で固定される、請求項１に記載のスピーカ装置。
【請求項３】
前記第１係合部と前記第２係合部とは、前記前側筐体と前記後側筐体とがネジ部材により固定される方向と平行に係合するように構成されており、
前記ネジ部材の締め付けにより、前記第１係合部と前記第２係合部とが密着するとともに、前記第１接合端面と前記第３接合端面とが互いに接触し、かつ、前記第２接合端面と前記第４接合端面とが互いに接触した状態で固定される、請求項２に記載のスピーカ装置。
【請求項４】
前記三角形状の断面形状を有する突起部からなる前記第１係合部または前記第２係合部は、前記前側筐体または前記後側筐体の一方の端部近傍から他方の端部近傍に渡って連続的に延びるように設けられている、請求項１〜３のいずれか１項に記載のスピーカ装置。
【請求項５】
前記前側筐体と前記後側筐体とは、樹脂製である、請求項１〜４のいずれか１項に記載のスピーカ装置。
【発明の詳細な説明】
【技術分野】
【０００１】
この発明は、スピーカ装置に関し、特に、係合部を備えるスピーカ装置に関する。
【背景技術】
【０００２】
従来、係合部を備えるスピーカ装置などが知られている（たとえば、特許文献１〜５参照）。
【０００３】
上記特許文献１には、一方の構成部品に、断面形状が長方形であるリブ部を開口部全周にわたって設け、他方の構成部品に、断面形状が長方形である溝部を開口部全周にわたって設けるとともに、係合部にホットメルト剤を用いる、スピーカ装置が開示されている。このスピーカ装置では、係合部のホットメルト剤により、構成部品同士が直接接合せず、かつ、発生した振動が吸収されるので、構成部品同士の接合端面におけるビビリ音を軽減することができる。
【０００４】
また、上記特許文献２には、バッフル板の外周部に、断面形状が三角形である補強部材を取り付け、キャビネットに、断面形状が三角形である所定の深さの切り欠き部を設けた、スピーカキャビネットが開示されている。このスピーカキャビネットでは、バッフル板に取り付けられた補強部材を、キャビネットに設けられた切り欠き部に結合部材を用いて結合させることにより、結合部材が振動を遮断するので、バッフル板とキャビネットとの接合端面におけるビビリ音を軽減することができる。
【０００５】
また、上記特許文献３には、バッフル板を有するハウジングと、ハウジングと係合するカバーとを備え、ハウジングおよびカバーの一方に、いくつかの切り欠き部を有する凸状の嵌め込み部を設け、他方に、いくつかの突起部を有する凹状の挿入部を設けた、スピーカ装置が開示されている。このスピーカ装置では、突起部が凸状の嵌め込み部を挟みつけていることにより、突起部と凸状の嵌め込み部とを除く他の部分は完全に離れた状態になるので、ハウジングとカバーとの接合端面におけるビビリ音を軽減することができる。
【０００６】
また、上記特許文献４には、スピーカ装置とキャビネットとを備え、スピーカ装置およびキャビネットの一方の端面に、全周にわたって断面形状が略長方形である凸部を設け、他方の端面に、全周にわたって断面形状が略長方形である溝部を設けた、テレビジョン受像機が開示されている。このテレビジョン受像機では、スピーカ装置とキャビネットとの接合端面において隙間が生じないので、スピーカ装置とキャビネットとを確実に取り付けできるとともに、音質の劣化を防止することができる。
【０００７】
また、上記特許文献５には、バッフル板に、断面形状が三角形の突起部を先端部に有する、略Ｌ字状に折れ曲がった係合片を所定の間隔を隔てて設け、箱状本体に、全周にわたって溝部を設けた、スピーカキャビネットが開示されている。このスピーカキャビネットでは、スピーカキャビネットの全周にわたる固定と係合片の弾性力とにより、箱状本体とバッフル板との係合を強固にすることができるので、箱状本体とバッフル板との接合端面におけるビビリ音を軽減することができる。
【０００８】
【特許文献１】特開２００６−５６１６号公報
【特許文献２】実公平３−５４４７２号公報
【特許文献３】特開平４−１７２７９６号公報
【特許文献４】実開平６−３８３９２号公報
【特許文献５】実公平６−３３７４４号公報
【発明の開示】
【発明が解決しようとする課題】
【０００９】
しかしながら、上記特許文献１に記載のスピーカ装置においては、ビビリ音を軽減するために、ホットメルト剤を別途使用しているので、その分部品（材料）の点数が増加するという問題点がある。
【００１０】
また、上記特許文献２に記載のスピーカキャビネットにおいては、ビビリ音を軽減するために、補強部材を別途設ける必要があるとともに、結合部材を別途使用する必要があるので、その分部品（材料）の点数が増加するという問題点がある。
【００１１】
また、上記特許文献３に記載のスピーカ装置においては、凹状の挿入部に突起部が設けられていることにより、突起部が設けられていない箇所では凸状の嵌め込み部と凹状の挿入部との間に隙間が存在するため、スピーカ装置の密閉度が低下するという不都合がある。このため、ハウジングとカバーとの接合端面におけるビビリ音の発生を抑制することができないという問題点がある。
【００１２】
また、上記特許文献４に記載のテレビジョン受像機においては、それぞれの係合部の断面形状がそれぞれ略長方形であるので、スピーカ装置とキャビネットとの係合面積が大きい。このため、スピーカ装置とキャビネットとの接合端面においてビビリ音が起こりやすいという問題点がある。
【００１３】
また、上記特許文献５に記載のスピーカキャビネットにおいては、係合片は略Ｌ字状に折れ曲がっていることにより、係合部周辺の一部の領域しかバッフル板と箱状本体とは接合していないため、スピーカ装置の密閉度が低下するという不都合がある。また、箱状本体の溝部は間隙が設けられていない一方、バッフル板の係合片は所定の間隔を隔てて設けられていることにより、接合時において箱状本体の溝部に一定間隔で隙間が存在するため、スピーカキャビネットの密閉度が低下するという不都合がある。これらのため、バッフル板と箱状本体との接合端面におけるビビリ音の発生を抑制することができないという問題点がある。
【００１４】
この発明は、上記のような課題を解決するためになされたものであり、この発明の１つの目的は、部品点数の増加を抑制しながら、接合端面におけるビビリ音の発生を抑制することが可能なスピーカ装置を提供することである。
【課題を解決するための手段および発明の効果】
【００１５】
この発明の一の局面によるスピーカ装置は、スピーカ本体と、スピーカ本体が取り付けられる前側筐体と、前側筐体に取り付けられる後側筐体と、前側筐体の後側筐体との接合端面に一体的に設けられ、三角形状の断面形状を有する突起部または溝部の一方からなる第１係合部と、後側筐体の前側筐体との接合端面に第１係合部と対応するように一体的に設けられ、三角形状の断面形状を有する突起部または溝部の他方からなる第２係合部とを備え、第１係合部と第２係合部とが接触し、かつ、前側筐体と後側筐体とは、第１係合部と第２係合部との係合領域に対して一方側の領域および他方側の領域の両方の領域において互いに接触した状態で固定されている。
【００１６】
この一の局面によるスピーカ装置では、上記のように、第１係合部と第２係合部とが接触し、かつ、前側筐体と後側筐体とを、第１係合部と第２係合部との係合領域に対して一方側の領域および他方側の領域の両方の領域において互いに接触した状態で固定することによって、スピーカ装置の密閉度を保つことができるので、前側筐体と後側筐体との接合端面におけるビビリ音の発生を抑制することができる。また、第１係合部と第２係合部とを、一方が三角形状の断面形状を有する突起部からなり、他方が三角形状の断面形状を有する溝部からなるように構成することによって、第１係合部と第２係合部とが四角形状の断面形状を有する場合と比べて、第１係合部と第２係合部との係合面積を小さくすることができるので、これによっても、前側筐体と後側筐体との接合端面におけるビビリ音の発生を抑制することができる。また、第１係合部と第２係合部とを、前側筐体の後側筐体との接合端面に一体的に設けることによって、前側筐体と後側筐体とを固定する際に、補強部材や、ホットメルト剤や結合部材などの接合剤を別途用いていないので、部品点数の増加を抑制することができる。
【００１７】
上記一の局面によるスピーカ装置において、好ましくは、前側筐体の後側筐体との接合端面は、枠状に形成されているとともに、第１係合部よりも外縁部側に設けられた第１接合端面と、第１係合部よりも内縁部側に設けられた第２接合端面とを含み、後側筐体の前側筐体との接合端面は、枠状に形成されているとともに、第２係合部よりも外縁部側に設けられた第３接合端面と、第２係合部よりも内縁部側に設けられた第４接合端面とを含み、前側筐体と後側筐体とが互いに接触し、かつ、第１接合端面と第３接合端面とが互いに接触した状態で固定され、第２接合端面と第４接合端面とが互いに接触した状態で固定されている。このように構成すれば、第１係合部と第２係合部との係合領域の全周において、前側筐体と後側筐体との接合端面が互いに接触した状態で固定されることになるので、スピーカ装置の密閉度を向上させることができる。
【００１８】
この場合、好ましくは、第１係合部と第２係合部とは、前側筐体と後側筐体とがネジ部材により固定される方向と平行に係合するように構成されており、ネジ部材の締め付けにより、第１係合部と第２係合部とが密着するとともに、第１接合端面と第３接合端面とが互いに接触し、かつ、第２接合端面と第４接合端面とが互いに接触した状態で固定されている。このように構成すれば、ネジ部材の締め付けによる力が、第１係合部と第２係合部との係合方向に作用するので、スピーカ装置の密閉度をより向上させることができる。
【００１９】
上記一の局面によるスピーカ装置において、好ましくは、三角形状の断面形状を有する突起部からなる第１係合部または第２係合部は、前側筐体または後側筐体の一方の端部近傍から他方の端部近傍に渡って連続的に延びるように設けられている。このように構成すれば、三角形状の断面形状を有する突起部からなる第１係合部または第２係合部と、三角形状の断面形状を有する溝部からなる第１係合部または第２係合部との間に、突起部が連続的に延びるように設けられていないことに起因する隙間が発生しないので、スピーカ装置の密閉度をより向上させることができる。
【００２０】
上記一の局面によるスピーカ装置において、好ましくは、前側筐体と後側筐体とは、樹脂製である。このように構成すれば、前側筐体および後側筐体に突起部または溝部を一体成形することができるので、部品点数の増加を抑制することができる。また、樹脂は比較的柔らかく、前側筐体と後側筐体とを強く固定すると、前側筐体と後側筐体との隙間をうめることができるので、スピーカ装置の密閉度をより向上させることができる。
【発明を実施するための最良の形態】
【００２１】
以下、本発明を具体化した実施形態を図面に基づいて説明する。
【００２２】
図１は、本発明の一実施形態によるスピーカの全体構成を示した斜視図である。図２〜図７は、図１に示した本発明の一実施形態によるスピーカの詳細な構造を示した図である。まず、図１〜図７を参照して、本発明の一実施形態によるスピーカ１００の構造について説明する。なお、本実施形態では、スピーカ装置の一例である密閉型のスピーカ１００に本発明を適用した場合について説明する。
【００２３】
本発明の一実施形態による密閉型のスピーカ１００は、図１および図２に示すように、バッフル１と、エンクロージャー２と、スピーカ本体３と、バッフル１とスピーカ本体３とを固定するための４つのネジ４と、４つのネジ４にそれぞれ対応する４つのナット５とを備えている。なお、バッフル１およびエンクロージャー２は、それぞれ、本発明の「前側筐体」および「後側筐体」の一例である。
【００２４】
ここで、本実施形態では、スピーカ１００は、図１および図２に示すように、バッフル１とエンクロージャー２とを固定するための４つのネジ６を備える。具体的には、ネジ６は、バッフル１の四隅近傍の後述する面取部１７に設けられた後述するネジ挿入穴１６内を通って、エンクロージャー２に設けられた後述するネジ取り付け穴２３にねじ込まれる。ここで、４つのネジ６は、バッフル１の後述する係合部１２ａとエンクロージャー２の後述する係合部２２ａとの係合方向（Ｘ方向）と平行にそれぞれ取り付けられている。なお、ネジ６は、本発明の「ネジ部材」の一例である。
【００２５】
また、バッフル１は、図１〜図４および図７に示すように、前面部１０と、側壁部１１と、エンクロージャー２と接合する面である接合端面１２と、スピーカ本体３から発生する振動によるバッフル１の破損を抑制する補強部１３と、スピーカ本体３を取り付けるための円形状のスピーカ本体取付穴１４と、スピーカ本体３とスピーカ本体取付穴１４とをネジ４およびナット５により固定するための４つのネジ挿入穴１５と、４つのネジ挿入穴１６と、バッフル１の四隅近傍にそれぞれ設けられた面取部１７と、ビビリ音を軽減するための曲面部１８とを含む。
【００２６】
ここで、本実施形態では、バッフル１の接合端面１２には、図３、図４および図７に示すように、略正三角形の断面形状を有する突起部からなる係合部１２ａが、接合端面１２の４辺に、それぞれ一方の端部近傍のネジ挿入穴１６の近傍から、他方の端部近傍のネジ挿入穴１６の近傍に渡って連続的に延びるように設けられている。また、バッフル１の接合端面１２は、図３および図４に示すように、枠状に形成されているとともに、係合部１２ａよりも外縁部側に設けられた外側接合端面１２ｂと、係合部１２ａよりも内縁部側に設けられた内側接合端面１２ｃとを含んでいる。なお、係合部１２ａ、外側接合端面１２ｂおよび内側接合端面１２ｃは、それぞれ、本発明の「第１係合部」、「第１接合端面」および「第２接合端面」の一例である。
【００２７】
また、エンクロージャー２は、図１、図２および図５〜図７に示すように、後面部２０と、側壁部２１と、バッフル１と接合する面である接合端面２２と、４つのネジ取付穴２３と、ビビリ音を軽減するための曲面部２４とを含む。
【００２８】
ここで、本実施形態では、エンクロージャー２の接合端面２２には、図５〜図７に示すように、略正三角形の断面形状を有する溝部からなる係合部２２ａが、バッフル１の係合部１２ａの突起部と対応して互いに接触した状態で固定されるように設けられている。また、エンクロージャー２の係合部２２ａは、接合端面２２の４辺に、それぞれ一方の端部近傍のネジ取付穴２３の近傍から、他方の端部近傍のネジ取付穴２３の近傍に渡って連続的に延びるように設けられている。また、エンクロージャー２の接合端面２２は、図５および図６に示すように、枠状に形成されているとともに、係合部２２ａよりも外縁部側に設けられた外側接合端面２２ｂと、係合部２２ａよりも内縁部側に設けられた内側接合端面２２ｃとを含んでいる。なお、係合部２２ａ、外側接合端面２２ｂおよび内側接合端面２２ｃは、それぞれ、本発明の「第２係合部」、「第３接合端面」および「第４接合端面」の一例である。
【００２９】
また、本実施形態では、突起部からなる係合部１２ａは、樹脂成形によりバッフル１と一体成形されており、溝部からなる係合部２２ａは、樹脂成形によりエンクロージャー２と一体成形されている。また、バッフル１の係合部１２ａの突起部の高さＨ１（図８参照）は、エンクロージャー２の係合部２２ａの溝部の深さＤ１（図８参照）よりも若干大きくなるように構成されている。ここでの「若干大きい」とは、バッフル１とエンクロージャー２とをネジ６により固定させた際に隙間が生じない程度の大きさである。また、バッフル１とエンクロージャー２とは、図１および図７に示すように、バッフル１の側壁部１１における前面部１０と直交するＸ方向の長さＬ１と、エンクロージャー２の側壁部２１における後面部２０と直交するＸ方向の長さＬ２とが、ほぼ等しくなるように構成されている。また、バッフル１の係合部１２ａとエンクロージャー２の係合部２２ａとは、図２および図７に示すように、それぞれ対応する位置に設けられている。
【００３０】
図８〜図１０は、本発明の一実施形態によるバッフルとエンクロージャーとが固定される際の係合部周辺の断面図である。次に、図７〜図１０を参照して、本発明の一実施形態によるバッフル１にエンクロージャー２を取り付ける手順について説明する。
【００３１】
まず、図７に示すように、バッフル１の係合部１２ａとエンクロージャー２の係合部２２ａとは、それぞれ対応する位置に設けられているので、バッフル１の係合部１２ａとエンクロージャー２の係合部２２ａとは、バッフル１とエンクロージャー２とを固定する際の位置決めの役目も果たす。このため、バッフル１の係合部１２ａとエンクロージャー２の係合部２２ａとを係合するように取り付けると、バッフル１とエンクロージャー２とを正しく固定することが可能である。そこで、図８および図９に示すように、バッフル１の係合部１２ａとエンクロージャー２の係合部２２ａとを係合するように取り付ける。すると、バッフル１の係合部１２ａの突起部の高さＨ１は、エンクロージャー２の係合部２２ａの溝部の深さＤ１よりも大きくなるように構成されているので、図９に示すように、バッフル１の外側接合端面１２ｂとエンクロージャー２の外側接合端面２２ｂとの間およびバッフル１の内側接合端面１２ｃとエンクロージャー２の内側接合端面２２ｃとの間に隙間ｇが生じる。さらに、図１０に示すように、バッフル１の係合部１２ａとエンクロージャー２の係合部２２ａとの係合方向（Ｘ方向）と平行にそれぞれ取り付けられている４つのネジ６（図１参照）により、バッフル１とエンクロージャー２とを締め付ける。すると、ネジ６による締め付けにより、樹脂製であるバッフル１とエンクロージャー２とがそれぞれ変形する。これにより、バッフル１の外側接合端面１２ｂとエンクロージャー２の外側接合端面２２ｂとが互いに接触し、かつ、バッフル１の内側接合端面１２ｃとエンクロージャー２の内側接合端面２２ｃとが互いに接触した状態で強く固定される。この結果、隙間ｇは埋められる。
【００３２】
本実施形態では、上記のように、バッフル１の係合部１２ａを略正三角形の断面形状を有する突起部からなり、エンクロージャー２の係合部２２ａを、略正三角形の断面形状を有する溝部からなるように構成することによって、第１係合部と第２係合部とが四角形状の断面形状を有する場合と比べて、バッフル１の係合部１２ａとエンクロージャー２の係合部２２ａとの係合面積を小さくすることができるので、バッフル１の接合端面１２とエンクロージャー２の接合端面２２との接合端面におけるビビリ音の発生を抑制することができる。
【００３３】
また、本実施形態では、上記のように、バッフル１とエンクロージャー２とを固定する際に、４つのネジ６のみを用いることによって、補強部材や、ホットメルト剤や結合部材などの接合剤を別途用いる必要がないので、部品点数の増加を抑制することができる。
【００３４】
また、本実施形態では、上記のように、バッフル１とエンクロージャー２とを互いに接触し、かつ、バッフル１の外側接合端面１２ｂとエンクロージャー２の外側接合端面２２ｂとが互いに接触した状態で固定し、バッフル１の内側接合端面１２ｃとエンクロージャー２の内側接合端面２２ｃとを互いに接触した状態で固定することによって、スピーカ１００の密閉度を保つことができるので、バッフル１の接合端面１２とエンクロージャー２の接合端面２２との接合端面におけるビビリ音の発生を抑制することができる。
【００３５】
また、本実施形態では、上記のように、バッフル１の接合端面１２を、枠状に形成するとともに、係合部１２ａよりも外縁部側に設けた外側接合端面１２ｂと、係合部１２ａよりも内縁部側に設けた内側接合端面１２ｃとを含むように構成するとともに、エンクロージャー２の接合端面２２を、枠状に形成するとともに、係合部２２ａよりも外縁部側に設けた外側接合端面２２ｂと、係合部２２ａよりも内縁部側に設けた内側接合端面２２ｃとを含むように構成する。このように構成することによって、バッフル１の係合部１２ａとエンクロージャー２の係合部２２ａとの係合領域の全周において、バッフル１の接合端面１２とエンクロージャー２の接合端面２２との接合端面が互いに接触した状態で固定されることになるので、スピーカ１００の密閉度を向上させることができる。
【００３６】
また、本実施形態では、上記のように、４つのネジ６を、バッフル１の係合部１２ａとエンクロージャー２の係合部２２ａとの係合方向（Ｘ方向）と平行にそれぞれ取り付けることによって、ネジ６の締め付けによる力が、バッフル１の係合部１２ａとエンクロージャー２の係合部２２ａとの係合方向に作用する。これにより、バッフル１の係合部１２ａとエンクロージャー２の係合部２２ａとが密着するとともに、外側接合端面１２ｂと外側接合端面２２ｂとが互いに接触した状態で強く固定され、内側接合端面１２ｃと内側接合端面２２ｃとが互いに接触した状態で強く固定されるので、スピーカ１００の密閉度をより向上させることができる。
【００３７】
また、本実施形態では、上記のように、バッフル１の係合部１２ａを、バッフル１の接合端面１２の４辺に、それぞれ一方の端部近傍のネジ挿入穴１６の近傍から、他方の端部近傍のネジ挿入穴１６の近傍に渡って連続的に延びるように設けるとともに、エンクロージャー２の係合部２２ａを、エンクロージャー２の接合端面２２の４辺に、それぞれ一方の端部近傍のネジ取付穴２３の近傍から、他方の端部近傍のネジ取付穴２３の近傍に渡って連続的に延びるように設けることによって、バッフル１の４つのネジ挿入穴１６およびエンクロージャー２の４つのネジ取付穴２３の近傍以外には隙間が存在しないようにすることができるので、スピーカ１００の密閉度をより向上させることができる。
【００３８】
また、本実施形態では、上記のように、突起部からなる係合部１２ａを、樹脂成形によりバッフル１と一体成形し、溝部からなる係合部２２ａを、樹脂成形によりエンクロージャー２と一体成形することによって、バッフル１の係合部１２ａの突起部を別途製造する必要がないので、部品点数の増加を抑制することができる。また、樹脂は比較的柔らかく、バッフル１とエンクロージャー２とを強く固定すると、バッフル１とエンクロージャー２との隙間ｇをうめることができるので、スピーカ１００の密閉度をより向上させることができる。
【００３９】
また、本実施形態では、上記のように、バッフル１の係合部１２ａの突起部の高さＨ１を、エンクロージャー２の係合部２２ａの溝部の深さＤ１よりも若干大きくなるように構成することによって、スピーカ１００の製造時の寸法誤差等によるバッフル１とエンクロージャー２との隙間ｇの発生に対処することができる。また、バッフル１とエンクロージャー２とをネジ６の締め付けにより強く固定させると、バッフル１とエンクロージャー２とが変形することにより、バッフル１とエンクロージャー２との隙間ｇをうめることができるので、スピーカ１００の密閉度をより向上させることができる。
【００４０】
また、本実施形態では、上記のように、バッフル１とエンクロージャー２とは、バッフル１の側壁部１１における前面部１０と直交するＸ方向の長さＬ１と、エンクロージャー２の側壁部２１における後面部２０と直交するＸ方向の長さＬ２とが、ほぼ等しくなるように構成されている。このように構成されることによって、バッフル１の側壁部１１の接合端面１２と、エンクロージャー２の側壁部２１の接合端面２２との両方の面近傍に伝わる振動方向を同一にすることができるので、バッフル１の接合端面１２とエンクロージャー２の接合端面２２との接合端面におけるビビリ音の発生を抑制することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、本発明のスピーカ装置の一例として密閉型のスピーカを示したが、本発明はこれに限らず、密閉型以外のスピーカ装置にも適用可能である。
【００４３】
また、上記実施形態では、バッフル１の接合端面１２に、略正三角形の断面形状を有する突起部からなる係合部１２ａを設けるとともに、エンクロージャー２の接合端面２２に、略正三角形の断面形状を有する溝部からなる係合部２２ａを設ける場合を示したが、本発明はこれに限らず、図１１に示す第１変形例のように、バッフル３０１の接合端面に、三角形状の断面形状を有する溝部からなる係合部３１２ａを設けるとともに、エンクロージャー３０２の接合端面に、三角形状の断面形状を有する突起部からなる係合部３２２ａを設けてもよい。
【００４４】
また、上記実施形態では、図７に示すように、バッフル１の側壁部１１における前面部１０と直交するＸ方向の長さＬ１と、エンクロージャー２の側壁部２１における後面部２０と直交するＸ方向の長さＬ２とが、ほぼ等しい場合を示したが、本発明はこれに限らず、Ｌ１とＬ２とは等しい必要はない。たとえば、図１２および図１３に示す第２変形例のように、三角形状の断面形状を有する突起部からなる係合部４１２ａを含むバッフル４０１が、ほぼ板状であるとともに、三角形状の断面形状を有する溝部からなる係合部４２２ａを含むエンクロージャー４０２が、前面開放の箱状であってもよい。また、図１２および図１４に示す第３変形例のように、三角形状の断面形状を有する溝部からなる係合部５１２ａを含むバッフル５０１が、ほぼ板状であるとともに、三角形状の断面形状を有する溝部からなる係合部５２２ａを含むエンクロージャー５０２が、前面開放の箱状であってもよい。
【００４５】
また、上記実施形態では、ネジ部材として４つのネジ６を用いる場合を示したが、本発明はこれに限らず、バッフル１とエンクロージャー２との接合端面を隙間なく固定可能であれば、ネジ６は４つに限定されず、または、ネジ部材を用いなくてもよい。
【００４６】
また、上記実施形態では、バッフル１の係合部１２ａとエンクロージャー２の係合部２２ａとがそれぞれ略正三角形の断面形状を有する場合を示したが、本発明はこれに限らず、バッフル１の接合端面１２とエンクロージャー２の接合端面２２との接合端面を隙間なく固定可能であり、かつ、バッフル１の係合部１２ａとエンクロージャー２の係合部２２ａとがそれぞれ三角形状の断面形状を有するならば、略正三角形でなくてもよい。
【００４７】
また、上記実施形態では、バッフル１の係合部１２ａの突起部の高さＨ１を、エンクロージャー２の係合部２２ａの溝部の深さＤ１よりも若干大きくなるように構成する場合を示したが、本発明はこれに限らず、バッフル１の接合端面１２とエンクロージャー２の接合端面２２との接合端面を隙間なく固定可能であれば、バッフル１の係合部１２ａの突起部の高さＨ１とエンクロージャー２の係合部２２ａの溝部の深さＤ１とが等しくてもよい。
【図面の簡単な説明】
【００４８】
【図１】本発明の一実施形態によるスピーカの全体構成を示した斜視図である。
【図２】本発明の一実施形態によるスピーカの全体構成を示した分解斜視図である。
【図３】本発明の一実施形態によるスピーカを取り付けていない状態のバッフルの斜視図である。
【図４】本発明の一実施形態によるスピーカを取り付けていない状態のバッフルの平面図である。
【図５】本発明の一実施形態によるエンクロージャーの斜視図である。
【図６】本発明の一実施形態によるエンクロージャーの平面図である。
【図７】本発明の一実施形態による図４および図６における２００−２００線に沿った断面図である。
【図８】本発明の一実施形態によるバッフルとエンクロージャーとが固定される前の、図４および図６における２００−２００線に沿った係合部周辺の断面図である。
【図９】本発明の一実施形態によるバッフルとエンクロージャーとが固定された状態の、図４および図６における２００−２００線に沿った係合部周辺の断面図である。
【図１０】本発明の一実施形態によるバッフルとエンクロージャーとが強く固定された状態の、図４および図６における２００−２００線に沿った係合部周辺の断面図である。
【図１１】本発明の第１変形例によるスピーカの断面図である。
【図１２】本発明の第２変形例および第３変形例によるスピーカの側面図である。
【図１３】本発明の第２変形例によるスピーカの断面図である。
【図１４】本発明の第３変形例によるスピーカの断面図である。
【符号の説明】
【００４９】
１、３０１、４０１、５０１            バッフル（前側筐体）
２、３０２、４０２、５０２            エンクロージャー（後側筐体）
３                                    スピーカ本体
６                                    ネジ（ネジ部材）
１２ａ、３１２ａ、４１２ａ、５１２ａ  係合部（第１係合部）
１２ｂ                                外側接合端面（第１接合端面）
１２ｃ                                内側接合端面（第２接合端面）
２２ａ，３２２ａ、４２２ａ、５２２ａ  係合部（第２係合部）
２２ｂ                                外側接合端面（第３接合端面）
２２ｃ                                内側接合端面（第４接合端面）
１００                                スピーカ（スピーカ装置）
【図１】
2009164823.tif 000003
【図２】
2009164823.tif 000004
【図３】
2009164823.tif 000005
【図４】
2009164823.tif 000006
【図５】
2009164823.tif 000007
【図６】
2009164823.tif 000008
【図７】
2009164823.tif 000009
【図８】
2009164823.tif 000010
【図９】
2009164823.tif 000011
【図１０】
2009164823.tif 000012
【図１１】
2009164823.tif 000013
【図１２】
2009164823.tif 000014
【図１３】
2009164823.tif 000015
【図１４】
2009164823.tif 000016